(57)【特許請求の範囲】
【請求項１】
照明光を発する送信側照明手段と、発光条件を設定するためのストロボ制御情報を電波または音波の信号によりワイヤレス送信する送信手段とを有し、前記送信側照明手段が照明光を発するためのエネルギーを蓄えたコンデンサを用いて、受信側照明手段に発光を開始させるための発光開始信号を前記送信側照明手段の照明光によりワイヤレス送信する送信側ストロボ装置と、
前記受信側照明手段を有し、前記ストロボ制御情報を電波または音波の信号によりワイヤレス受信するとともに、前記発光開始信号を光によりワイヤレス受信し、前記ストロボ制御情報の受信に基づいて前記ストロボ制御情報に応じた前記受信側照明手段の発光準備動作を行い、前記発光開始信号の受信に基づいて前記受信側照明手段を発光させる受信側ストロボ装置とを備えたことを特徴とするストロボシステム。
【請求項２】
受信側照明手段を有し、発光条件を設定するためのストロボ制御情報を電波または音波の信号によりワイヤレス受信するとともに、発光を開始させるための発光開始信号を光によりワイヤレス受信し、前記ストロボ制御情報の受信に基づいて前記ストロボ制御情報に応じた前記受信側照明手段の発光準備動作を行い、前記発光開始信号の受信に基づいて前記受信側照明手段を発光させる受信側ストロボ装置を備えたストロボシステムに用いられる送信側ストロボ装置であって、
照明光を発する送信側照明手段と、
前記ストロボ制御情報を電波または音波の信号によりワイヤレス送信する送信手段とを有し、
前記送信側照明手段が照明光を発するためのエネルギーを蓄えたコンデンサを用いて、前記受信側ストロボ装置に前記発光開始信号を前記送信側照明手段の照明光によりワイヤレス送信することを特徴とする送信側ストロボ装置。
【請求項３】
照明光を発する送信側照明手段と、発光条件を設定するためのストロボ制御情報を電波または音波の信号によりワイヤレス送信する送信手段とを有し、前記送信側照明手段が照明光を発するためのエネルギーを蓄えたコンデンサを用いて、受信側照明手段に発光を開始させるための発光開始信号を前記送信側照明手段の照明光によりワイヤレス送信する送信側ストロボ装置を備えたストロボシステムに用いられる受信側ストロボ装置であって、
前記受信側照明手段を有し、
前記ストロボ制御情報を電波または音波の信号によりワイヤレス受信するとともに、前記発光開始信号を光によりワイヤレス受信し、
前記ストロボ制御情報の受信に基づいて前記ストロボ制御情報に応じた前記受信側照明手段の発光準備動作を行い、前記発光開始信号の受信に基づいて前記受信側照明手段を発光させることを特徴とする受信側ストロボ装置。
【発明の詳細な説明】
【技術分野】
【０００１】
本発明は、例えばカメラを含むマスター送信装置（送信側ストロボ装置）により、カメラから空間的に離れた位置に配置されたスレーブストロボ装置（受信側ストロボ装置）の発光制御を行うストロボシステムに関するものである。
【背景技術】
【０００２】
従来カメラから離れた位置に配置されるワイヤレスストロボ装置による撮影システムは様々な例が知られている。
【発明の開示】
【発明が解決しようとする課題】
【０００３】
しかしながら、ストロボ制御情報を電波又は音波の信号によりワイヤレス送信し、発光開始信号を光によりワイヤレス送信することは、開示されていない。
【課題を解決するための手段】
【０００４】
本願第１の発明であるストロボシステムは、照明光を発する送信側照明手段と、発光条件を設定するためのストロボ制御情報を電波または音波の信号によりワイヤレス送信する送信手段とを有し、送信側照明手段が照明光を発するためのエネルギーを蓄えたコンデンサを用いて、受信側照明手段に発光を開始させるための発光開始信号を送信側照明手段の照明光によりワイヤレス送信する送信側ストロボ装置と、受信側照明手段を有し、ストロボ制御情報を電波または音波の信号によりワイヤレス受信するとともに、発光開始信号を光によりワイヤレス受信し、ストロボ制御情報の受信に基づいてストロボ制御情報に応じた受信側照明手段の発光準備動作を行い、発光開始信号の受信に基づいて受信側照明手段を発光させる受信側ストロボ装置とを備えたことを特徴とする。
【０００５】
本願第２の発明は、受信側照明手段を有し、発光条件を設定するためのストロボ制御情報を電波または音波の信号によりワイヤレス受信するとともに、発光を開始させるための発光開始信号を光によりワイヤレス受信し、ストロボ制御情報の受信に基づいてストロボ制御情報に応じた受信側照明手段の発光準備動作を行い、発光開始信号の受信に基づいて受信側照明手段を発光させる受信側ストロボ装置を備えたストロボシステムに用いられる送信側ストロボ装置であって、照明光を発する送信側照明手段と、ストロボ制御情報を電波または音波の信号によりワイヤレス送信する送信手段とを有し、送信側照明手段が照明光を発するためのエネルギーを蓄えたコンデンサを用いて、受信側ストロボ装置に発光開始信号を送信側照明手段の照明光によりワイヤレス送信することを特徴とする。
【０００６】
本願第３の発明は、照明光を発する送信側照明手段と、発光条件を設定するためのストロボ制御情報を電波または音波の信号によりワイヤレス送信する送信手段とを有し、送信側照明手段が照明光を発するためのエネルギーを蓄えたコンデンサを用いて、受信側照明手段に発光を開始させるための発光開始信号を送信側照明手段の照明光によりワイヤレス送信する送信側ストロボ装置を備えたストロボシステムに用いられる受信側ストロボ装置であって、受信側照明手段を有し、ストロボ制御情報を電波または音波の信号によりワイヤレス受信するとともに、発光開始信号を光によりワイヤレス受信し、ストロボ制御情報の受信に基づいてストロボ制御情報に応じた受信側照明手段の発光準備動作を行い、発光開始信号の受信に基づいて受信側照明手段を発光させることを特徴とする。
【発明を実施するための最良の形態】
【０００７】
以下、本発明の実施例について説明する。
【実施例１】
【０００８】
図１は本発明を１眼レフレックスカメラに適用して実施したストロボ制御カメラシステムの主に光学的な構成を説明した横断面図である。
【０００９】
１はカメラ本体であり、この中に光学部品、メカ部品、電気回路、フィルムなどを収納し、写真撮影が行えるようになっている。２は主ミラーで、観察状態と撮影状態に応じて撮影光路へ斜設されあるいは退去される。また主ミラー２はハーフミラーとなっており、後述する焦点検出光学系に被写体からの光線の約半分を透過させている。３は撮影レンズ１１の予定結像面に配置されたピント板、４はファインダー光路変更用のペンタプリズムである。５はアイピースで、撮影者はこの窓よりピント板３を観察することで、撮影画面を観察することが出来る。６、７は観察画面内の被写体輝度を測定する為の結像レンズと測光センサーで、結像レンズ６はペンタプリズム４内の反射光路を介してピント板３と測光センサー７を共役に関係付けている。８はシャッター、９は感光部材で、銀塩フィルム等より成っている。
【００１０】
２５はサブミラーであり、被写体からの光線を下方に折り曲げて、焦点検出ユニット２６の方に導いている。
【００１１】
焦点検出ユニット２６内には、２次結像ミラー２７、２次結像レンズ２８、焦点検出ラインセンサ２９等からなっている。２次結像ミラー２７、２次結像レンズ２８により焦点検出光学系を成しており、撮影光学系の２次結像面を焦点検出ラインセンサ２９上に結んでいる。焦点検出ユニット２６は、既知の位相差検出法により撮影画面内の被写体の焦点状態を検出し、撮影レンズの焦点調節機構を制御することにより自動焦点検出装置を実現している。
【００１２】
１４０はカメラのエプロン脇に付けられたストロボのテスト発光起動スイッチである。
【００１３】
１０はカメラとレンズとのインターフェイスとなるマウント接点群であり、１１はカメラ本体に装着されるレンズ鏡筒である。１２〜１４は撮影レンズであり、１２は１群レンズで、光軸上を前後に移動することで、撮影画面のピント位置を調整することが出来る。１３は２群レンズで、光軸上を前後に可動することで、撮影画面の変倍となり撮影レンズの焦点距離が変更される。１４は３群固定レンズである。１５は撮影レンズ絞りである。
【００１４】
１６は１群レンズ駆動モータであり、自動焦点調節動作に従って１群レンズを前後に移動させることにより自動的にピント位置を調整することが出来る。１７はレンズ絞り駆動モータであり、これにより撮影レンズ絞りを所望される絞り径に駆動出来る。
【００１５】
１８は外付けストロボ（閃光装置）で、カメラ本体１に取り付けられ、カメラからの信号に従って発光制御を行うものである。１９は発光管としてのキセノン管で、電流エネルギーを発光エネルギーに変換する。
【００１６】
２０、２１は反射板とフレネルレンズであり、それぞれ発光エネルギーを効率良く被写体に向けて集光する役目を有する。２２はカメラ本体１と外付けストロボ１８とのインターフェースとなるストロボ接点群である。
【００１７】
３０は、グラスファイバー等の光伝達手段であり、キセノン管１９で発光した光をモニタするフォトダイオード等の第１の受光手段としての受光素子３１に導いており、ストロボのプリ発光及び本発光の光量を直接測光しているものである。３２は、キセノン管１９で発光した光をモニタする第２の受光手段である、フォトダイオード等の受光素子である。受光素子３２の出力によりキセノン管１９の発光電流を制限することでフラット発光の制御が行われる。２０ａ、２０ｂは反射笠２０と一体となったライトガイドであり、受光素子３２または受光素子３１にキセノン管の光を反射して導く。
【００１８】
次に、図２及び図３は本実施例の電気回路ブロック図を示している。図１と対応する部材には同じ符号が付されている。
【００１９】
カメラ側の制御手段として、カメラマイコン１００は、発振器１０１で作られるクロックをもとに内部の動作が行われる。
【００２０】
記憶手段としてのＥＥＰＲＯＭ１００ｂは、フィルムカウンタその他の撮影情報を記憶可能である。１００ｃのＡ／Ｄ（アナログ−ディジタル変換器）は、焦点検出回路１０５、測光回路１０６からのアナログ信号をＡ／Ｄ変換し、カメラマイコン１００はそのＡ／Ｄ値を信号処理することにより各種状態を設定する。カメラマイコン１００には、焦点検出回路１０５、測光回路１０６、シャッター制御回路１０７、モーター制御回路１０８、フィルム走行検知回路１０９、スイッチセンス回路１１０、ＬＣＤ駆動回路１１１等が接続されている。また、撮影レンズ内に配置されたレンズ制御回路としてのマイコン１１２とはマウント接点１０を介して信号の伝達がなされ、外付けストロボとは、ストロボ接点群２２を介してストロボ側の処理手段としてのストロボマイコン２３８と信号の伝達がなされる。
【００２１】
焦点検出回路１０５はカメラマイコン１００の信号に従い、公知の測距素子であるＣＣＤラインセンサー２９の蓄積制御と読み出し制御を行って、ぞれぞれの画素情報をカメラマイコン１００に出力する。カメラマイコン１００はこの情報をＡ／Ｄ変換し周知の位相差検出法による焦点検出を行う。
【００２２】
カメラマイコン１００は焦点検出情報により、レンズマイコン１１２と信号のやりとりを行うことによりレンズの焦点調節を行う。
【００２３】
測光回路１０６は被写体の輝度信号として、測光センサ７からの出力をカメラマイコン１００に出力する。測光回路１０６は、被写体に向けてストロボ光をプリ発光していない定常状態とプリ発光しているプリ発光状態と双方の状態で輝度信号を出力する。カメラマイコン１００は輝度信号をＡ／Ｄ変換し、撮影の露出の調節のための絞り値の演算とシャッタースピードの演算、及び露光時のストロボ本発光量の演算を行う。
【００２４】
シャッター制御回路１０７は、カメラマイコン１００からの信号に従って、フォーカルプレンシャッタ８を構成するシャッター先幕駆動マグネットＭＧ−１および、シャッター後幕駆動マグネットＭＧ−２を走行させ、露出動作を担っている。
【００２５】
モータ制御回路１０８は、カメラマイコン１００からの信号に従ってモータを制御することにより、主ミラー２のアップダウン、及びシャッターのチャージ、そしてフィルムの給送を行っている。
【００２６】
フィルム走行検知回路１０９は、フィルム給送時にフィルムが１駒分巻き上げられたかを検知し、カメラマイコン１００に信号を送る。
【００２７】
ＳＷ１は不図示のレリーズ釦の第１ストロークでＯＮし、測光、ＡＦを開始させるスイッチとなる。ＳＷ２はレリーズ釦の第２ストロークでＯＮし、露光動作を開始させるスイッチとなる。ＳＷＦＥＬＫはプリ発光を独立して行うスイッチであり、ＴＥＳＴはカメラ側からストロボのテスト発光を起動するスイッチである。スイッチＳＷ１、ＳＷ２、ＳＷＦＥＬＫ及びその他不図示のカメラの操作部材からの信号は、スイッチセンス回路１１０が検知し、カメラマイコン１００に送っている。
【００２８】
液晶表示回路１１１はファインダー内ＬＣＤ２４とモニター用ＬＣＤ４２の表示をカメラマイコン１００からの信号に従って制御している。ＳＷＸはストロボ発光開始スイッチであり、シャッター先幕走行完了と同時にオンする。
【００２９】
次に、カメラマイコン１００のストロボとレンズのインターフェース端子の説明を行う。
【００３０】
ＳＣＫはストロボとのシリアル通信を行う為の同期クロックの出力端子、ＳＤＯはストロボとのシリアル通信の為のシリアルデータ出力端子、ＳＤＩはストロボとのシリアル通信の為のデータ入力端子である。ＳＣＨＧはストロボの発光可能を検出するための入力端子、ＬＣＫはレンズとのシリアル通信を行う為の同期クロックの出力端子、ＬＤＯはレンズとのシリアル通信の為のシリアルデータ出力端子、ＬＤＩはレンズとのシリアル通信の為のデータ入力端子である。
【００３１】
次に、レンズの構成に関して説明を行う。カメラ本体とレンズはレンズマウント接点１０を介して相互に電気的に接続される。このレンズマウント接点１０は、レンズ内のフォーカス駆動用モータ１６および、絞り駆動用モータ１７の電源用接点であるＬ０、レンズ制御手段としてのレンズマイコン１１２の電源用接点であるＬ１を有する。また、公知のシリアルデータ通信を行う為のクロック用接点Ｌ２、カメラからレンズへのデータ送信用接点Ｌ３、レンズからカメラへのデータ送信用接点Ｌ４を有する。さらに、前記モータ用電源に対するモータ用グランド接点であるＬ５、前記レンズマイコン１１２用電源に対するグランド接点であるＬ６を有する。
【００３２】
レンズマイコン１１２は、これらのレンズマウント接点１０を介してカメラマイコン１００と接続され、１群レンズ駆動モータ１６及びレンズ絞りモータ１７を動作させ、レンズの焦点調節と絞りを制御している。３５、３６は光検出器とパルス板であり、レンズマイコン１１２がパルス数をカウントすることにより１群レンズの位置情報を得ることが出来、レンズの焦点調節を行うことが出来る。次に、ストロボの構成に関して図３を用いて説明を行う。
【００３３】
２０１は電源であるところの電池、２０２は公知のＤＣ−ＤＣコンバータであり、電池電圧を数１００Ｖに昇圧する。２０３は発光エネルギーを蓄積するメインコンデンサ、２０４、２０５は抵抗であり、メインコンデンサ２０３の電圧を所定比に分圧する。
【００３４】
２０６は発光電流を制限する為の第１のコイル、２０７は発光停止時に発生する逆起電圧を吸収する為の第１のダイオードである。２０８は発光電流を制限する為の第２のコイル、２０９は発光停止時にコイル８に発生する逆起電圧を吸収する為の第２のダイオードである。
【００３５】
１９は発光手段であると共に、スレーブストロボの制御情報の出力手段であるところのＸｅ管、２１１はトリガ発生回路、２１２はＩＧＢＴなどの発光制御回路である。２１３はコイル２０８をバイパスさせる為のスイッチング素子であるところのサイリスタである。Ｘｅ管１９を用いてワイヤレス通信を行う時にＸｅ管１９から短い光パルスを発生させる場合、および、閃光発光時の発光停止時の停止制御性を良くする際にコイル２０８に電流を流さない様にサイリスタ２１３で発光電流をバイパスさせる。
【００３６】
２１４はサイリスタ２１３をターンオンさせる為にサイリスタ２１３の制御極であるゲートに電流を流す為の抵抗である。２１５は、サイリスタ２１３がオフ状態の時に該サイリスタのゲートにノイズが印加されてターンオンする事を防止するためのゲート電位安定化抵抗である。２１６は、サイリスタ２１３を急速にオンさせる為のコンデンサ、２１７はサイリスタ２１３がオフ状態の時に該サイリスタのゲートにノイズが印加されてターンオンする事を防止するためのノイズ吸収コンデンサである。２１８はサイリスタ２１３のゲート電流をスイッチングする為のトランジスタである。
【００３７】
２１９、２２０は抵抗、２２１はトランジスタ２１８をスイッチングする為のトランジスタ、２２２、２２３は抵抗である。２３０はデータセレクタであり、Ｙ０、Ｙ１の２入力の組み合わせにより、Ｄ０、Ｄ１、Ｄ２を選択してＹに出力する。
【００３８】
２３１はフラット発光の発光光度制御用のコンパレータ、２３２は閃光発光時の発光量制御用のコンパレータ、３２はフラット発光制御用の受光センサであるところのフォトダイオードであり、発光手段であるＸｅ管１９の光出力をモニタする。
【００３９】
２３４はフォトダイオード３２に流れる微少電流を増幅すると共に光電流を電圧に変換する測光回路、３１は閃光発光制御用の受光センサであるところのフォトダイオードであり、発光手段であるＸｅ管１９の光出力をモニタする。
【００４０】
２３６はフォトダイオード３１に流れる光電流を対数圧縮するとともにＸｅ管１９の発光量を圧縮積分する為の測光積分回路である。２３８はストロボ全体の動作を制御するマイコン、２２はカメラ本体との通信を行う為にホットシューに設けられた接点群、２４０はストロボの動作状態を表示する表示手段であるところの液晶ディスプレイである。
【００４１】
２４１はストロボのワイヤレス動作状態を設定するワイヤレスセレクタースイッチ、２４２はストロボの電源オンオフを制御する電源スイッチ、２４３はストロボの充電完了を表示するＬＥＤである。２４４はストロボが適正光量で撮影出来た事を表示する調光表示ＬＥＤ、２４５は公知のモータ制御回路、２４６はカメラ本体に装着されたレンズの焦点距離に応じてＸｅ管１９および反射笠２０を移動させ、照射角を設定する為のモータである。
【００４２】
２４７は液晶２４０を照明する為の不図示のＥＬまたはＬＥＤ等によるバックライト点灯スイッチ、２４８はストロボの発光モードを選択する為のモードスイッチである。２４９は発光モードに付随したパラメータ（例えばマニュアル発光時の発光量等）を選択する為のスイッチ、２５０は前記パラメータ設定値を増加させる為のアップスイッチ、２５１は前記パラメータを減少させる為のダウンスイッチである。２５２は手動で発光照射角を設定する為のズームスイッチ、２５３、２５４、２５５は発光照射角の位置を示すエンコーダ、２５６はカメラ側からの制御情報の受信手段であるところのフォトダイオードである。２５７はフォトダイオード２５６に流れる光電流を増幅し、電圧に変換する受光回路、２６０はテスト発光スイッチである。
【００４３】
次に、マイコン２３８の各端子を説明する。
【００４４】
ＣＮＴはＤＣ／ＤＣコンバータ２の充電を制御する制御出力端子、ＬＣＤＳは液晶２４０を表示点灯する為の配線群、ＣＯＭ１はスイッチ２４１のグランド電位に相当する制御出力端子である。ＮＯＲＭはストロボの動作状態が通常撮影状態（ワイヤレスモードではない）時に選択される入力端子である。
【００４５】
ＭＡＳＴＥＲはストロボの動作状態がワイヤレスマスターモード、すなわちカメラホットシュー接点群２２を用いてカメラに接続され、ワイヤレススレーブストロボの動作を制御する状態である時に選択される入力端子である。ＳＬＡＶＥはストロボの動作状態がワイヤレススレーブモード、すなわちカメラから離れた位置に設置され、マスターストロボからの発光制御光信号を受光素子２５６で受信し、ストロボの発光を制御する状態である時に選択される入力端子である。
【００４６】
次に、ＣＯＭ２はスイッチ２４２のグランド電位に相当する制御出力端子、ＯＦＦはストロボが電源オフ時に選択される入力端子である。ＯＮはストロボが電源オン時に選択される入力端子、ＳＥはストロボが所定時間経過後に電源オフ状態になる時に選択される入力端子である。
【００４７】
ＣＬＫはカメラとのシリアル通信の同期クロック入力端子、ＤＯは同期クロックに同期して、ストロボからカメラにシリアルデータを転送する為のシリアルデータ出力端子である。ＤＩは同期クロックに同期して、カメラからストロボにシリアルデータを転送する為のシリアルデータ入力端子、ＸはカメラのＸ接点の入力端子、ＰＩは入力情報であるワイヤレス光信号の入力端子である。
【００４８】
Ｍ０、Ｍ１はモータドライバの４種類の動作状態（ＣＷ駆動，ＣＣＷ駆動，モータオフ、モータブレーキ）を制御する為の出力端子、ＴＥＳＴはテスト発光スイッチ２６０の入力端子である。ＺＯＯＭ０、ＺＯＯＭ１、ＺＯＯＭ２は前述のズーム位置を示すエンコーダ２５３、２５４、２５５からの信号を入力する入力端子、ＣＯＭ０はズームエンコーダ等のグランド電位に相当する制御出力端子、ＺＯＯＭは前述ズーム位置設定スイッチ２５２の入力端子である。ＤＯＷＮは前述発光パラメータの減少スイッチ２５１の入力端子、ＵＰは前述発光パラメータの増加スイッチ２５０の入力端子、ＳＥＬ／ＳＥＴは前述のデータ選択スイッチ２４９の入力端子、ＭＯＤＥは前述の発光モード選択スイッチ２４８の入力端子である。ＬＩＧＨＴは前述の照明スイッチ２４７の入力端子、ＹＩＮはデータセレクタ２３０の出力状態検出の為の入力端子、ＩＮＴは測光積分回路２３６の積分制御出力端子である。ＡＤ０は測光積分回路２３６の発光量を示す積分電圧を読み込む為のＡ／Ｄ変換入力端子であり、ＤＡ０はコンパレータ２３１、２３２のコンパレート電圧を出力する為のディジタルｔｏアナログ出力端子（Ｄ／Ａ出力端子）である。
【００４９】
Ｙ０、Ｙ１は前述データセレクタ２３０の選択状態設定出力端子であり、ＴＲＩＧは発光トリガ発生出力端子であり、ＳＣＲ＿ＣＴＲＬはサイリスタ２１３の制御出力端子である。
【００５０】
次に、図４は本実施例によるストロボ装置の外観図である。各スイッチおよび表示等は図１と同じ符号を付しているので、説明は省略する。なお、２５８は前述の情報受信手段であるフォトダイオード２５６の受光窓であり、この中にフォトダイオードが配置される。
【００５１】
次に、図５はマスターストロボ（送信側ストロボ装置）ＭＳと、１台のスレーブストロボ（受信側ストロボ装置）ＳＳを用いたワイヤレス撮影例を示す図である。
【００５２】
カメラ１に接続されたマスターストロボＭＳは前述のワイヤレスモード選択スイッチ２４２がＭＡＳＴＥＲに設定されてあり、スレーブストロボＳＳは前述のワイヤレスモード選択スイッチ２４１がＳＬＡＶＥに設定されている。
【００５３】
マスターストロボＭＳの発光制御光は被写体で反射して受光窓２５８から受光されてスレーブストロボＳＳの発光を制御する。マスターストロボＭＳはマスターストロボ自身が発光するモード（マスター発光モード）とマスターストロボ自身はスレーブストロボの制御のみ行うモード（制御専用モード）の２通りの設定が出来る。
【００５４】
なお、図５に示した例で、マスターストロボＭＳがマスター発光モードに設定されている場合はマスターストロボＭＳとスレーブストロボは共に発光する。ここで、マスターストロボとスレーブストロボの間で光量比制御は行われずに、同一の発光量で発光する（レシオオフモード）。
【００５５】
図６の（ａ）はマスター発光モードに設定されたマスターストロボＭＳと、グループＢに設定されたスレーブストロボＳＳＢを用いたワイヤレス撮影例を示す図である。マスターストロボＭＳは、スレーブストロボＳＳＢを制御するとともに、マスターストロボとスレーブストロボの間で任意の光量比で発光する事が可能である。
【００５６】
図６の（ｂ）は、制御専用モードに設定されたマスターストロボＭＳと、２台のスレーブストロボＳＳＡ、ＳＳＢを用いたワイヤレス撮影例を示す図である。２台のスレーブストロボはそれぞれグループＡとグループＢに設定され、マスターストロボＭＳの設定により、グループＡのストロボとグループＢのストロボの間で任意の光量比で発光する事が可能である。
【００５７】
図７の（ａ）はマスター発光モードに設定されたマスターストロボＭＳと、グループＢに設定されたスレーブストロボＳＳＢと、グループＣに設定されたスレーブストロボＳＳＣとを用いたワイヤレス撮影例を示す図である。
【００５８】
マスターストロボＭＳは、スレーブストロボＳＳＢ、ＳＳＣを制御するとともに、マスターストロボとスレーブストロボＳＳＢ、ＳＳＣの間で任意の光量比で発光する事が可能である。
【００５９】
図７の（ｂ）は制御専用モードに設定されたマスターストロボＭＳと、３台のスレーブストロボＳＳＡ、ＳＳＢ、ＳＳＣを用いたワイヤレス撮影例を示す図である。
【００６０】
３台のスレーブストロボはそれぞれグループＡ、グループＢ、グループＣに設定され、マスターストロボＭＳの設定により、グループＡのストロボとグループＢのストロボとグループＣのストロボの間で任意の光量比で発光する事が可能である。次に、ストロボ背面に配置された液晶表示器２４０の表示例を説明する。
【００６１】
図８は図５で説明した１灯ワイヤレス撮影時のストロボの液晶表示器２４０の表示例である。
【００６２】
同図において、Ａ）、Ｂ）、Ｃ）は自動調光動作時の表示例であり、Ｄ）、Ｅ）、Ｆ）はマニュアル発光動作時の表示例であり、Ｇ）、Ｈ）、Ｉ）はマルチ発光動作時の表示例である。
【００６３】
また、同図の１列目Ａ）、Ｄ）、Ｇ）はマスター発光モード時のマスターストロボの表示例であり、２列目Ｂ）、Ｅ）、Ｈ）は制御専用モード時のマスターストロボの表示例であり、３列目Ｃ）、Ｆ）、Ｉ）はスレーブモード時の表示例である。
【００６４】
同図において、３０１はストロボの発光モード表示であり、マスターストロボの場合（第１列目、第２列目）は、発光モードに応じて自動調光モード（ＥＴＴＬ）、マニュアル発光モード（Ｍ）、マルチ発光モード（ＭＵＬＴＩ）の何れかが選択され、表示される。一方、スレーブモード時（第３列目）ではマスターストロボから指示された発光モードが表示される。
【００６５】
３０２はフラット発光撮影時である事を示す表示アイコンであり、マスターモード時はフラット発光許可時に表示され、スレーブモード時はマスターストロボからフラット発光が指示された時に表示される。
【００６６】
３０３は設定ズーム位置を示すズーム表示、３０４、３０５はワイヤレスモードを表示するアイコンであり、マスターモードの場合（第１列目、第２列目）は、３０４の表示が外向きになり、スレーブモードの場合（第３列目）は、３０４の表示が内向きとなる。３０５はワイヤレスモード時の正面発光マークであり、第１列目のマスター発光モード時は表示され、第２列目の制御専用モード時は消灯する事により、視覚的に制御専用モードである事を表現する。
【００６７】
３０６はチャネル表示であり、複数の撮影者が本発明のストロボシステムを同時に使う場合に、混信しないように設定したチャネルが表示される。
【００６８】
３０７はスレーブモードが選択された時に表示されるスレーブモード表示であり、本実施例ではＡＢＣの３状態の何れかが表示される。
【００６９】
３０８はマニュアル発光モード時は、設定されたマニュアル発光量の表示であり、マルチ発光モード時は、マルチ発光の１発あたりの発光量を表示する。また、マスターモード（第１列目、第２列目）の時はマスターストロボで設定した値が表示され、スレーブモード（第３列目）の時はマスターストロボから指示された値が表示される。
【００７０】
３０９はマルチ発光モード時に設定された発光回数の表示であり、マスターモード（第１列目、第２列目）時はマスターストロボで設定した値が表示され、スレーブモード（第３列目）の時はマスターストロボから指示された値が表示される。
【００７１】
３１０はマルチ発光モード時に設定された周波数の表示であり、マスターモード（第１列目、第２列目）時はマスターストロボで設定した値が表示され、スレーブモード（第３列目）の時はマスターストロボから指示された値が表示される。
【００７２】
図９は図６の（ａ）および図６の（ｂ）で説明した２灯光量比ワイヤレス撮影モード時のストロボの液晶表示器２４０の表示例である。同図において図８と異なる箇所のみ説明する。
【００７３】
３２０は光量比モードである事を示す表示であり、グループＡのストロボとグループＢのストロボの２グループを制御できる事を示している。
【００７４】
３２１は自動調光モード時にグループＡのストロボとグループＢのストロボ間の光量比を示す表示であり、本実施例ではＡ：Ｂの光量比を８：１から１：８まで１／２段刻みに連続的に設定できる。設定した光量比は３２２のマーク点灯位置により視覚的に認識できる。
【００７５】
また、マスターストロボでのマニュアル発光モード時の発光量表示３０８は、本実施例では１グループ分しか表示できないので、光量比モード表示３２０のＡまたはＢのいずれか点滅しているグループの発光量が発光量表示３０８に表示される。また、マスターストロボでのマルチ発光モード時の発光量表示３０８も同様に光量比モード表示３２０のＡまたはＢいずれかの点滅により表す。
【００７６】
また、スレーブ表示３０７はＣ）またはＫ）の表示例ではグループＡに設定された状態を示しており、Ｆ）ではグループＢに設定された状態を示している。
【００７７】
図１０は図７の（ａ）および図７の（ｂ）で説明した３灯光量比ワイヤレス撮影モード時のストロボの液晶表示器２４０の表示例である。同図において図８、図９と異なる箇所のみ説明する。
【００７８】
３２０は光量比モードである事を示す表示であり、グループＡのストロボ、グループＢのストロボ、グループＣのストロボの３グループを制御できる事を示している。
【００７９】
３２３は自動調光動作時にグループＣのストロボの調光レベル表示である。本実施例では、図７の（ａ）、（ｂ）に示す様に、グループＣのストロボは背景照明用として用いられる事を考慮し、グループＡのストロボ、グループＢのストロボとは独立して、グループＣ単体での適正調光レベルに対する補正量を設定、表示できるようにしている。
【００８０】
また、スレーブ表示３０７はＣ）の表示例ではグループＡに設定された状態を示しており、Ｆ）ではグループＢに設定された状態を示しており、Ｋ）ではグループＣに設定された状態を示している。
【００８１】
また、図８〜図１０の液晶表示例において、自動調光モード、マニュアル発光モード、マルチ発光モードの発光モードの設定は、図４のＭＯＤＥボタン２４８を押す事により選択される。スレーブストロボの発光形態であるスレーブ制御数の設定（ＲＡＴＩＯ ＯＦＦ、Ａ：Ｂ、Ａ：Ｂ：Ｃ）、マニュアル発光量、マルチ発光回数、マルチ発光周波数、Ａ：Ｂの光量比、Ｃの調光レベル、制御チャネル、マスター発光モードと制御専用モード、スレーブストロボに於ける発光グループの設定等は、いずれも図４のＳＥＬボタン２４９を押して、設定すべき項目を選択して、図４の＋ボタン２５０、―ボタン２５１で設定する。
【００８２】
また、ノーマルモード、ワイヤレスマスターモード、ワイヤレススレーブモードの設定は図４のスイッチ２４１を切り換える事により選択できる。
【００８３】
＜ワイヤレス通信の説明＞
次に、マスターストロボからスレーブストロボに発光情報を伝達する為のワイヤレス通信に関して図１１を例にして説明する。
【００８４】
図１１はスレーブストロボをプリ発光させる時にマスターストロボＭＳが発生するワイヤレス光制御信号を示す図である。
【００８５】
Ａ）は前述のカメラからストロボへのシリアル通信の為の同期クロック信号であり、Ｂ）は前述のカメラからストロボへのデータ出力信号であり、Ｃ）は前述のストロボからカメラへのデータ出力信号である。
【００８６】
また、Ｄ）、Ｅ）はマスターストロボがＸｅ管１９をパルス的に断続発光させて発生するスレーブストロボへのワイヤレス光通信信号であり、Ｄ）はマスターストロボが制御専用モードの場合の発光信号を示している。Ｅ）はマスターストロボがマスター発光モードの場合の発光信号を示しており、Ｆ）はスレーブストロボの発光を示している。
【００８７】
同図において、カメラから前述のシリアル通信線を介してプリ発光指示が行われると、マスターストロボはＤ）またはＥ）に示すワイヤレス光通信信号を発生する。
【００８８】
その１バイト目はＳＴＡＲＴパルスとＣＨパルスおよび、Ｄ７〜Ｄ０の合計１０ｂｉｔのデータで構成されている。ＳＴＡＲＴとＣＨ間隔がチャネル識別信号を示し、続く所定間隔のＤ７〜Ｄ０が１バイトのデータを示している。その１バイトデータはＤ７〜Ｄ０の光パルスの組み合わせで発光モード（プリ発光、メイン発光、マニュアル発光、マルチ発光）と、閃光またはフラット発光モードと、フラット発光時の発光時間等の情報を圧縮して構成している。このコマンドの内容に関しては後述する。
【００８９】
続く２バイト目以降は所定間隔のＳＴＡＲＴパルスとＤ７〜Ｄ０が１バイトのデータを示し、前述の発光モードに応じた発光量等のデータを示す。また、ワイヤレス光通信信号の通信データ長は、発光モードに応じて所定の長さが定義されており、図６に示したプリ発光通信では２バイトの長さを持つ。なお、１バイト目のみチャネル識別信号を重畳し、２バイト目以降は付与しないのは、通信の長さを短縮する為である。
【００９０】
マスターストロボＭＳは前記ワイヤレス送信をしている間はＤＯ通信ラインをローレベルに落としており、送信終了すると、ハイレベルに戻す。
【００９１】
時刻ｔ２にてカメラはＤＯ通信ラインがハイレベルに戻ったのを認識して、時刻ｔ３にてＣＬＫ信号ラインを引き下げてプリ発光開始を指示する。
【００９２】
マスターストロボＭＳはＣＬＫ通信ラインが立ち下がった事を検出して、制御専用モードの場合は図１１（３）に示す発光開始光パルスを発生し、マスター発光モードの場合は図１１（４）に示すカメラから指示された所定時間、所定発光光度の発光を行う。
【００９３】
一方、スレーブストロボはマスターストロボＭＳからのワイヤレス光通信パルスの１バイト目、２バイト目を受信しチャネル符号、発光モード、発光時間、発光量等の情報をデコードする。そして、前述のマスターストロボの発光に同期して、図１１（５）に示す所定の光量、所定発光時間のプリ発光が行われる。
【００９４】
次に、前述のワイヤレス通信の代表的なコマンドを図１２の通信テーブルを用いて説明する。
【００９５】
図１２は本実施例におけるワイヤレス通信の代表的な通信モードを示す表である。
【００９６】
１バイト目はコマンドであり、詳細に説明する為に１ｂｉｔ毎に表示している。また、１バイト目のＤ７からＤ０は図１１に於けるＤ７からＤ０に相当する。
【００９７】
１バイト目のＤ７ビットに記載してあるＦＳは、閃光発光とフラット発光を示すビットであり、閃光発光の時は０、フラット発光の時は１である。また、マルチ発光は閃光発光で行われるので０である。
【００９８】
Ｄ２ビットからＤ０ビットは発光時間を示し、Ｔ２、Ｔ１、Ｔ０の３ビットの組み合わせで８通りの時間を表し、フラットプリ発光時はプリ発光時間を示し、本発光時は、シャッタ速度と幕速に応じたフラット発光の発光時間を示している。
【００９９】
２バイト目から５バイト目までは各発光コマンドに続くデータであり、コマンドに応じた長さをもち、発光量、マルチ発光の周波数、マルチ発光回数等のデータである。
【０１００】
また、マルチ発光時の３バイト目から５バイト目にあるＦ／Ｃは、マルチ発光の周波数と発光回数を示すデータであり、１バイトを４ｂｉｔずつに分割して、周波数と発光回数を表している。
【０１０１】
また、テスト発光時のデータはテスト発光のモードを示しており、図１２下のテスト発光モード表に示す内容となっている。
【０１０２】
次に、図１３のフローチャートを用いて、スレーブストロボの情報受信動作を説明する。
【０１０３】
［ステップ０１]スレーブストロボは受信手段であるフォトダイオード２５６にて、マスターストロボからのワイヤレス情報信号を受信すると、受光回路２５７を通して、信号は増幅およびフィルタリングされる。そして、光パルスのような早い立ち上がりの信号のみがマイコン２３８のＰＩ端子に入力され、内部のバッファに入る。
【０１０４】
［ステップ０２］受信１バイト目のデータは先頭のＳＴＡＲＴパルスとＣＨ．パルスの間隔がチャネルを表すので、その間隔を計測し、チャネルを識別するとともに残りのＤ７からＤ０のデータが、図１２のコマンドに合致するか解析する。
【０１０５】
［ステップ０３］受信した１バイト目のコマンドが図７のコマンドテーブルに合致しない場合はコマンドエラーとしてステップ１３に分岐する。
【０１０６】
［ステップ０４］受信したコマンドに応じて、残り受信すべき受信長をセットする。
【０１０７】
［ステップ０５］受信すべき残りデータが０の場合はデータ受信処理を終了して、ステップ０７に分岐する。
【０１０８】
［ステップ０６］残りのデータを受信する。
【０１０９】
［ステップ０７］受信したデータが適切か判別し、不適切な場合は発光処理に進まず、ステップ１３に分岐する。
【０１１０】
［ステップ０８］マスターストロボの発光開始を検出すればステップ１０に進み、検出しない場合はステップ０９に分岐する。
【０１１１】
［ステップ０９］所定時間マスターストロボの発光開始を検出できない場合は、タイムアウトとしてステップ１３に分岐する。
【０１１２】
［ステップ１０］ステップ０２で識別したチャネルがスレーブストロボのチャネルに合致しない場合は発光処理を行わずステップ１３に分岐する。
【０１１３】
［ステップ１１］受信したコマンドおよびデータに従った発光処理を行う。
【０１１４】
［ステップ１２］発光した状態（発光形態：閃光発光、フラット発光、発光モード：自動調光、マニュアル発光、マルチ発光、発光パラメータ：発光量、発光回数、発光周波数など）を液晶表示器２４０に表示する。なお、本実施例では、テスト発光時は表示または更新は行わないようにしている。
【０１１５】
［ステップ１３］コマンドエラー、データエラーなどの場合は発光処理を行わず、所定時間待機した後、次のデータの受信待ちとする。
【０１１６】
次に、テスト発光時のマスターストロボとスレーブストロボの発光動作を図１４のフローチャートを用いて説明する。
【０１１７】
同図において、ステップ１０１からステップ１０７は、マスター送信装置（ワイヤレス制御装置）であるマスターストロボの動作を示し、ステップ１０８からステップ１１５はスレーブストロボの動作を示す。ここで、マスターストロボとはワイヤレスセレクタースイッチ２４１をＭＡＳＴＥＲにセットした状態であり、スレーブストロボとは、ワイヤレスセレクタースイッチ２４１をスレーブにセットした状態である。
【０１１８】
以下のフローチャートは、カメラのテスト発光スイッチ１４０またはストロボのテスト発光スイッチ２６０がオンされた時に実行されるルーチンである。カメラのテスト発光スイッチ１４０が押された場合は、前述のカメラとストロボ間のシリアル通信インターフェースＳＣＫ、ＳＤＩ、ＳＤＯを介して公知のシリアル通信で、カメラからストロボにテスト発光スイッチが押された事を通信する。一方、ストロボ側のテスト発光スイッチ２６０が押された場合はストロボマイコン２３８がダイレクトに検出するものである。
【０１１９】
［ステップ１０１］カメラのテスト発光スイッチ１４０または、マスターストロボのテストスイッチ２６０が押されると、マスターストロボで設定された発光モードにより異なったテスト発光を行う為に、マニュアル発光モードおよびマルチ発光モードの時はステップ１０２に分岐し、自動調光モードの時はステップ１０１に分岐する。なお、自動調光モードにおいては、テスト発光モードは、スレーブストロボの位置確認が主たる目的であり、またマニュアル、マルチ発光モードでの本発光での発光量を事前に確認することを主たる目的であるとすることができる。
【０１２０】
［ステップ１０２］マニュアル発光モード、マルチ発光モードの場合は図１２に示した以下の発光コマンドとデータを送信する準備を行う。
【０１２１】
１）マニュアル１灯（レシオオフ）モード：コマンド８とマスターストロボで設定された発光量
２）マニュアル２灯モード：コマンド９とマスターストロボで設定されたグループＡのストロボ発光量とグループＢのストロボ発光量
３）マニュアル３灯モード：コマンド１０とマスターストロボで設定されたグループＡのストロボ発光量とグループＢのストロボ発光量とグループＣのストロボ発光量
１）マルチ１灯（レシオオフ）モード：コマンド１１とマスターストロボで設定された発光量と発光回数、発光周波数
２）マニュアル２灯モード：コマンド１２とマスターストロボで設定されたグループＡのストロボ発光量とグループＢのストロボ発光量と発光回数、発光周波数
３）マニュアル３灯モード：コマンド１３とマスターストロボで設定されたグループＡのストロボ発光量とグループＢのストロボ発光量とグループＣのストロボ発光量と発光回数、発光周波数
［ステップ１０３］自動調光モードの場合でマスターストロボの設定がレシオオフの場合は、ステップ１０４、Ａ：Ｂの場合はステップ１０５、Ａ：Ｂ：Ｃの場合はステップ１０６に分岐する。
【０１２２】
［ステップ１０４］レシオオフの場合は図１２に示したコマンド１４とデータＦ０Ｈを送信する準備を行う。
【０１２３】
［ステップ１０５］Ａ：Ｂの場合は図１２に示したコマンド１４とデータＦ１Ｈを送信する準備を行う。
【０１２４】
［ステップ１０６］Ａ：Ｂ：Ｃの場合は図１２に示したコマンド１４とデータＦ２Ｈを送信する準備を行う。
【０１２５】
［ステップ１０７］図１１で説明したのと同様の方法で、マスターストロボはコマンドとデータをスレーブストロボに送信する。
【０１２６】
［ステップ１０８］スレーブストロボは、ステップ１０７でマスターストロボから送信されたコマンドとデータを受信すると、受信したコマンドがコマンドの１４のテストコマンドであった場合はステップ１１１に分岐する。また、コマンド８から１３のマニュアルまたはマルチ発光のコマンドの場合はステップ１０９に分岐する。
【０１２７】
［ステップ１０９］送られて来たコマンドと各グループの発光データと、自分の設定されたグループの合致を調べて、合致しない場合はテスト発光を行わないので、ステップ１１０はスキップする。
【０１２８】
すなわち、同一チャネルに設定されている全てのストロボが同一条件で発光するレシオオフモードの場合は、スレーブのグループ設定にかかわらずテスト応答を行う。レシオオンモード（Ａ：ＢまたはＡ：Ｂ：Ｃ）でスレーブのグループ設定を間違えた場合、例えば、Ａ：Ｂの２灯発光モードでスレーブストロボをグループＣに設定した場合は、スレーブストロボがテスト応答を行わない。このため、撮影者に設定の間違いを認識させる事ができる。
【０１２９】
［ステップ１１０］発光グループが合致した場合は指示された発光モードと発光データでテスト発光を行う。例えばマニュアルモードの場合は、マスターモードで設定された発光量でテスト発光を行う。
【０１３０】
［ステップ１１１］マスターストロボから受信したコマンドがコマンド１４、すなわち自動調光モードでのテスト発光の場合、コマンド１４に続くデータに応じてデータがＦ０Ｈ、すなわち、レシオオフモードの場合はステップ１１２に分岐する。それ以外の場合はステップ１１３に分岐する。
【０１３１】
［ステップ１１２］レシオオフモードの場合は、スレーブストロボのグループ設定は関係なく、同一の条件で発光する事になるので、テスト応答までの待ち時間を同一の所定値とする。
【０１３２】
［ステップ１１３］レシオオンモードの場合は、送られて来たデータと自分の設定されたグループの合致を調べて、合致しない場合はテスト発光を行わないので、以降の発光処理はスキップする。
【０１３３】
すなわち、Ａ：Ｂの２灯発光モードでスレーブストロボをグループＣに設定した場合は、スレーブストロボがテスト応答を行わない事になるので、撮影者に設定の間違いを認識させる事ができる。
【０１３４】
［ステップ１１４］設定グループに応じた所定の時間、テスト応答を待つ。
【０１３５】
例えば、グループＡのストロボは０．３秒、グループＢのストロボは０．６秒、グループＣのストロボは０．９秒の待ち時間（０．３秒間隔）を設ける。
【０１３６】
［ステップ１１５］所定の光量でテスト発光を行う。
【０１３７】
次に、図１５、図１６のタイミングチャートを用いてテスト発光時の代表的な動作を説明する。
【０１３８】
図１５は自動調光のレシオオフ時のテスト発光の状態（選択されているストロボの発光光度は同じであるから、各ストロボの発光光度の違いを確認する必要はなく、選択されているストロボの確認ができればよいから、各グループのストロボは同時に発光する）である。図１６は自動調光Ａ：Ｂ：Ｃモード時のテスト発光の状態（自動調光であるから、各ストロボは本発光の発光光度で発光する必要はなく、どのストロボが選択されているかを個別にできれば良いので、時系列で発光させている）である。
【０１３９】
各図において、Ａ）はマスターストロボのテスト発光スイッチ２６０またはカメラのテスト発光スイッチ１４０の状態であり、Ｂ）はマスターストロボのＸｅ管の発光波形である。Ｃ）はグループＡに設定されたスレーブストロボの発光波形であり、Ｄ）はグループＢに設定されたスレーブストロボの発光波形であり、Ｅ）はグループＣに設定されたスレーブストロボの発光波形である。
【０１４０】
まず、図１５を説明する。
【０１４１】
［タイミングｔ０］テスト発光スイッチがオンされる。
【０１４２】
［タイミングｔ１］マスターストロボはＸｅ管１９をパルス発光させて、図１２のコマンド１４を送信する（１）。
【０１４３】
［タイミングｔ２］レシオオフの自動調光なので、図１２で示したＦ０Ｈを送信する（２）。
【０１４４】
［タイミングｔ３］Ｘｅ管１９をパルス発光させて、スレーブストロボに発光開始タイミング信号（３）を送信する。
【０１４５】
一方、スレーブストロボはコマンド（１）とデータ（２）を受信して、同一テスト発光である事を解析し、自らの発光グループに関わらず所定の待ち時間をカウントする。
【０１４６】
［タイミングｔ４］所定の待ち時間終了後、各スレーブストロボは発光グループの設定にかかわらず、同時に所定の発光量のテスト発光を行う。
【０１４７】
従って、レシオオフ時の同一発光モードの場合は、スレーブストロボのグループの設定に関わらず発光が行われるので、撮影者がスレーブストロボの発光グループの設定が一致していなくても正しく発光が行われる。
【０１４８】
次に、図１６を説明する。
【０１４９】
［タイミングｔ０］テスト発光スイッチがオンされる。
【０１５０】
［タイミングｔ１］マスターストロボはＸｅ管１９をパルス発光させて、図１２のコマンド１４を送信する（１）。
【０１５１】
［タイミングｔ２］Ａ：Ｂ：Ｃの自動調光なので、図１２で示したＦ２Ｈを送信する（２）。
【０１５２】
［タイミングｔ３］Ｘｅ管１９をパルス発光させて、スレーブストロボに発光開始タイミング信号（３）を送信する。
【０１５３】
一方、スレーブストロボはコマンド（１）とデータ（２）を受信して、自動調光ＡＢＣである事を解析し、自らの発光グループに応じて所定の待ち時間をカウントし、テスト発光の発生を待つ。
【０１５４】
［タイミングｔ４］グループＡの待ち時間終了後、グループＡに設定されたスレーブストロボが所定の発光量のテスト発光を行う。
【０１５５】
［タイミングｔ５］グループＢの待ち時間終了後、グループＢに設定されたスレーブストロボが所定の発光量のテスト発光を行う。
【０１５６】
［タイミングｔ６］グループＣの待ち時間終了後、グループＣに設定されたスレーブストロボが所定の発光量のテスト発光を行う。
【０１５７】
ここでもし撮影者がＡ：Ｂ：Ｃの３灯撮影を行おうとしているのに、スレーブストロボのグループ設定をＡ、Ｃ、Ｃと設定した場合は、真ん中のＢが発光していない事により、設定間違いをしている事を認識できる。
【０１５８】
また、特にテストスイッチをオンしてから各スレーブストロボが等間隔のディレイをもって発光する事により、間違ったスレーブ設定をしている場合にはスレーブ応答のリズムが崩れるので、容易にどのスレーブストロボの設定を間違えているか認識する事が可能となる。
【０１５９】
なお、実施例１では、自動調光モード時のみ設定グループに応じてスレーブストロボの応答に時間的なディレイを持たせ、自動調光モード以外の時は各スレーブに時間差を持たせず、設定された発光条件（発光量、発光周波数、発光回数）で発光させている。これは、特にマニュアル発光モードの場合は、テスト発光により被写体のそばにおかれた公知のストロボ露出メータで露出を決める使い方をする場合が多いので、各スレーブストロボが同時に発光しないと、ストロボメータで測光できない事を考慮した為である。ただし、応答を確認する為だけであれば、自動調光モードと同様に、ディレイ時間などで、スレーブ応答を変えてもかまわない。また、ストロボ制御情報の送信手段としてマスターストロボのＸｅ管による発光を用いたが、これに限るものではない。すなわち、Ｘｅ管の前に赤外フィルターを装着して赤外線で送信したり、あるいは、高輝度のＬＥＤ等で送信したり、あるいは超音波や電波を用いて送信しても同様の結果が得られるのは言うまでもない。
【０１６０】
以上説明した様に実施例１では以下の効果がある。
【０１６１】
複数のスレーブストロボの発光制御を行う多灯ストロボシステムにおける、撮影前のスレーブストロボのテスト応答において、多灯発光モードが選択された時は、スレーブストロボの発光グループに応じて、テスト発光するまでのディレイ時間を変えるなどの、テスト応答の形態を変える。これにより、各発光グループのストロボの配置と応答を容易に確認できる効果がある。
【０１６２】
また、ワイヤレスストロボ制御装置が複数の発光モードをもち、設定された発光モードに応じたテスト発光情報をスレーブストロボに指示する事により、発光モードに応じた適切なテスト発光を行う事ができる。
【実施例２】
【０１６３】
実施例２では、スレーブストロボのテスト応答に発音体を用いて音により応答を確認する例である。
【０１６４】
図１７は実施例２におけるストロボの電気回路ブロック図である。図３と同じ箇所は説明を省略する。
【０１６５】
同図において、２６１は圧電ブザーなどの発音体であり、所定周波数の駆動電圧を印加すると印加した周波数（音程）の音を発生する。
【０１６６】
またマイコン２３８のＢＺ出力端子は発音体２６１の駆動出力端子であり、所定周波数、所定振幅の駆動信号を出力する。
【０１６７】
次に、テスト発光時のマスターストロボとスレーブストロボの発光動作を図１８のフローチャートを用いて説明する。
【０１６８】
以下のフローチャートは、実施例１と同様に、カメラのテスト発光スイッチ１４０またはストロボのテスト発光スイッチ２６０がオンされた時に実行するルーチンである。カメラのテスト発光スイッチ１４０が押された場合は、前述のカメラとストロボ間のシリアル通信インターフェースＳＣＫ、ＳＤＩ、ＳＤＯを介して公知のシリアル通信で、カメラからストロボにテスト発光スイッチが押された事を通信する。一方、ストロボ側のテスト発光スイッチ２６０が押された場合はストロボマイコン２３８がダイレクトに検出するものである。
【０１６９】
［ステップ２０１］カメラのテスト発光スイッチ１４０または、マスターストロボのテストスイッチ２６０が押されると、マスターストロボで設定された状態に応じて、レシオオフの場合はステップ２０２、Ａ：Ｂの場合はステップ２０３、Ａ：Ｂ：Ｃの場合はステップ２０４に分岐する。
【０１７０】
［ステップ２０２］レシオオフの場合は、図１２に示したコマンド１４とデータＦ０Ｈを送信する準備を行う。
【０１７１】
［ステップ２０３］Ａ：Ｂの場合は、図１２に示したコマンド１４とデータＦ１Ｈを送信する準備を行う。
【０１７２】
［ステップ２０４］Ａ：Ｂ：Ｃの場合は、図１２に示したコマンド１４とデータＦ２Ｈを送信する準備を行う。
【０１７３】
［ステップ２０５］図１４で説明したのと同様の方法で、マスターストロボはコマンドとデータをスレーブストロボに送信する。
【０１７４】
［ステップ２０６］スレーブストロボはステップ２０５でマスターストロボから送信されたコマンドとデータを受信すると、受信したコマンド１４に続くデータに応じてデータがＦ０Ｈ、すなわち、レシオオフモードの場合はステップ２０７に分岐する。それ以外の場合はステップ２０８に分岐する。
【０１７５】
［ステップ２０７］レシオオフモードの場合は、スレーブストロボのグループ設定は関係なく、同一の条件で発光する事になるので、テスト応答までの待ち時間を同一の所定値とする。
【０１７６】
［ステップ２０８］レシオオンモード（Ａ：ＢまたはＡ：Ｂ：Ｃ）の場合は送られて来たデータと自分の設定されたグループの合致を調べて、合致しない場合はテスト発光を行わないので、以降の発光処理はスキップする。
【０１７７】
すなわちＡ：Ｂの２灯発光モードでスレーブストロボをグループＣに設定した場合は、スレーブストロボがテスト応答を行わない事になるので、撮影者に設定の間違いを認識させる事ができる。
【０１７８】
［ステップ２０９］設定グループに応じた所定の時間、テスト応答を待つ。
【０１７９】
例えば、グループＡのストロボは０．３秒、グループＢのストロボは０．６秒、グループＣのストロボは０．９秒（０．３秒の間隔）の待ち時間を設ける。
【０１８０】
［ステップ２１０］所定の周波数で発音体２６１が発音する。
【０１８１】
次に、図１９、図２０のタイミングチャートを用いてテスト発光時の代表的な動作を説明する。
【０１８２】
図１９はレシオオフ時のテスト応答の状態であり、図２０はＡ：Ｂ：Ｃモード時のテスト応答の状態である。
【０１８３】
各図において、Ａ）はマスターストロボのテスト発光スイッチ２６０またはカメラのテスト発光スイッチ１４０の状態であり、ＢはマスターストロボのＸｅ管の発光波形であり、Ｃ）はグループＡに設定されたスレーブストロボの発音体２６１の発音波形である。Ｄ）はグループＢに設定されたスレーブストロボの発音体２６１の発音波形であり、Ｅ）はグループＣに設定されたスレーブストロボの発音体２６１の発音波形である。
【０１８４】
まず、図１９を説明する。
【０１８５】
［タイミングｔ０］テスト発光スイッチがオンされる。
【０１８６】
［タイミングｔ１］マスターストロボはＸｅ管１９をパルス発光させて、図１２のコマンド１４を送信する（１）。
【０１８７】
［タイミングｔ２］レシオオフなので、図１２で示したＦ０Ｈを送信する（２）。
【０１８８】
［タイミングｔ３］Ｘｅ管１９をパルス発光させて、スレーブストロボに発音開始タイミング信号（３）を送信する。
【０１８９】
一方、スレーブストロボはコマンド（１）とデータ（２）を受信して、同一テスト応答である事を解析し、自らの発光グループに関わらず所定の待ち時間をカウントし、テスト応答の発生を待つ。
【０１９０】
［タイミングｔ４］所定の待ち時間終了後、各スレーブストロボは同時に所定の周波数で発音を行う。
【０１９１】
次に、図２０を説明する。
【０１９２】
［タイミングｔ０］テスト発光スイッチがオンされる。
【０１９３】
［タイミングｔ１］マスターストロボはＸｅ管１９をパルス発光させて、図１２のコマンド１４を送信する（１）。
【０１９４】
［タイミングｔ２］Ａ：Ｂ：Ｃの自動調光なので、図１２で示したＦ２Ｈを送信する（２）。
【０１９５】
［タイミングｔ３］Ｘｅ管１９をパルス発光させて、スレーブストロボに発音開始タイミング信号（３）を送信する。
【０１９６】
一方、スレーブストロボはコマンド（１）とデータ（２）を受信して、自動調光ＡＢＣである事を解析し、自らの発光グループに応じて所定の待ち時間をカウントする。
【０１９７】
［タイミングｔ４］グループＡの待ち時間終了後、グループＡに設定されたスレーブストロボが所定の周波数で発音を行う。
【０１９８】
［タイミングｔ５］グループＢの待ち時間終了後、グループＢに設定されたスレーブストロボが所定の周波数で発音を行う。
【０１９９】
［タイミングｔ６］グループＣの待ち時間終了後、グループＣに設定されたスレーブストロボが所定の周波数で発音を行う。
【０２００】
ここでもし撮影者がＡ：Ｂ：Ｃの３灯撮影を行おうとしているのに、スレーブストロボのグループ設定をＡ、Ｃ、Ｃと設定した場合は、真ん中のＢが発音していない事により、設定間違いをしている事を認識できる。
【０２０１】
また、特にテストスイッチをオンしてから各スレーブストロボが等間隔のディレイをもって発音する事により、間違ったスレーブ設定をしている場合にはスレーブ応答のリズムが崩れる。これにより、容易にどのスレーブストロボの設定を間違えているか認識する事が可能となる。
【０２０２】
また、各スレーブストロボの発音周波数（音程）を異ならせると、一層各スレーブストロボの応答を明確に判別する事が可能になる。
【０２０３】
なお、実施例２ではテスト応答を発音体の発音により行っているので、実施例１の様にマニュアル発光時はストロボメータを用いた測光を行う、と言う事ができない。このため、自動調光モードおよび、マニュアル、マルチ発光モードの区別はしないで、設定グループに応じてスレーブストロボの応答に時間的なディレイを持たせている。
【０２０４】
また、ストロボ制御情報の送信手段としてマスターストロボのＸｅ管による発光を用いたが、これに限るものではない。すなわち、Ｘｅ管の前に赤外フィルターを装着して赤外線で送信したり、あるいは、高輝度のＬＥＤ等で送信したり、あるいは超音波や電波を用いて送信しても同様の結果が得られるのは言うまでもない。
【０２０５】
また、同一のストロボで実施例１で説明した、テスト発光で応答する場合と、実施例２で示した発音体の発音で応答する事を選択できる様にしてもよい。
【０２０６】
以上説明した様に実施例２では以下の効果がある。
【０２０７】
複数のスレーブストロボの発光制御を行う多灯ストロボシステムにおける、撮影前のスレーブストロボのテスト応答において、多灯発光モードが選択された時は、スレーブストロボの発光グループに応じて、音によりテスト応答するまでのディレイ時間を変えたり、その音程を変えるなどの、テスト応答の形態を変える。これにより、各発光グループのストロボの配置と応答を容易に確認できる効果がある。
【実施例３】
【０２０８】
実施例３では、カメラに内蔵されたストロボを用いてスレーブストロボ制御用の信号を発生する事により、カメラから離れた位置に設置されたスレーブストロボを制御するものである。
【０２０９】
図２１は実施例３に於けるカメラの横断面を示す。図１と対応する部材には同じ符号が付されているので説明は省略する。
【０２１０】
同図において、１１８、１１９はフレネルレンズと反射板であり、それぞれ発光エネルギーを効率良く被写体に向けて集光する役目を有する。１２０は発光手段としてのキセノン管である。
【０２１１】
１２１は内蔵ストロボのＴＴＬ自動調光を行う為のフィルム面の反射光をモニタするための調光センサであり、１２２は調光センサにフィルム面の像を結像する為のレンズである。１２３はＸｅ管１２０の発光量を直接モニタする為の受光素子である。
【０２１２】
図２２は実施例３に於ける回路のブロック図である。図２と対応する部材には同じ符号が付されている。同図に於いて、１１３はストロボの発光制御を行う為のストロボ発光回路である。この回路は図２３で詳細に説明する。
【０２１３】
図２３、ストロボ発光制御回路１１３の内部を説明する回路図である。
【０２１４】
同図に於いて、１２１はストロボによるフィルム面反射光を受光してＴＴＬ調光制御を行う為の受光センサ、１２３はＸｅ管１２０の発光を直接モニタする受光センサ、１２４は電源であるところの電池である。１２５は公知のＤＣ−ＤＣコンバータであり、電池電圧を数１００Ｖに昇圧する。
【０２１５】
１２６は発光エネルギーを蓄積するメインコンデンサ、１２７、１２８は抵抗であり、メインコンデンサ１２６の電圧を所定比に分圧する。１２９は発光電流を制限する為の第１コイル、１３０は発光停止時にコイル１２９に発生する逆起電圧を吸収する第１のダイオードである。
【０２１６】
１３１はトリガ発生回路、１３２はＩＧＢＴなどの発光制御回路、１３３はデータセレクタであり、Ｙ０、Ｙ１の２入力の組み合わせにより、Ｄ０、Ｄ１、Ｄ２を選択してＹに出力する。
【０２１７】
１３４はワイヤレスパルス発光時にＸｅ管１２０の発光量を調停する為のコンパレータ、１３５はＴＴＬ調光制御時に所定の発光量でＸｅ管１２０の発光量を調停する為のコンパレータである。１３６は受光センサ１２３に流れる微少電流を増幅すると共に光電流を電圧に変換する測光回路、１３７は受光センサ１２１で受光した被写体反射光を積分する為の積分回路である。
【０２１８】
３０８は発光電流を制限する為の第２のコイル、３０９は発光停止時にコイル３０８に発生する逆起電圧を環流させる為のダイオードである。
【０２１９】
３１３はコイル３０８をバイパスさせる為のスイッチング素子であるところのサイリスタ、３１４はサイリスタ３１３をターンオンさせる為にサイリスタ３１３の制御極であるゲートに電流を流す為の抵抗である。３１５は、サイリスタ３１３がオフ状態の時に該サイリスタのゲートにノイズが印加されてターンオンする事を防止するためのゲート電位安定化抵抗、３１６は、サイリスタ３１３を急速にオンさせる為のコンデンサである。３１７はサイリスタ３１３がオフ状態の時に該サイリスタのゲートにノイズが印加されてターンオンする事を防止するためのノイズ吸収コンデンサ、３１８はサイリスタ３１３のゲート電流をスイッチングする為のトランジスタである。３１９、３２０は抵抗、３２１はトランジスタ３１８をスイッチングする為のトランジスタ、３２２、３２３は抵抗である。
【０２２０】
このカメラ内蔵のストロボの回路構成は、基本的に実施例１で説明したストロボと同じ構成であるので、説明を省略する。
【０２２１】
次に、図２４は実施例３におけるストロボシステムを用いた撮影例を示す図であり、カメラの内蔵ストロボを用いて２台スレーブストロボの制御を行う例である。実施例３では、カメラに内蔵したストロボが実施例１と同様に、スレーブストロボを制御する為のワイヤレス光信号を発生し、カメラ本体から離れた位置に配置されるスレーブストロボに制御情報を送信し、ワイヤレススレーブ撮影が可能になるものである。
【０２２２】
図２５はワイヤレスモード時のカメラのモニター用ＬＣＤ４２の表示例でありストロボ制御モードを表示した例である。
【０２２３】
Ａ）は２灯自動調光撮影時の表示であり、Ｂ）は２灯マニュアル発光時の表示であり、Ｃ）は２灯マルチ発光時の表示である。
【０２２４】
同図において、１４１はシャッタースピード設定値、１４２は絞り設定値、１４３はフィルム撮影枚数表示、１４４は発光モード表示、１４５はワイヤレスモード表示、１４６は高速シンクロ表示、１４７はチャネル表示である。１４８はＡ：Ｂ光量比設定モードである事を示す表示、１４９はＡ：Ｂの光量比の表示であり、１５０はＡ：Ｂの光量比設定値を示す表示である。
【０２２５】
１５１はストロボマニュアル発光モード時はグループＡのストロボの発光量であり、１５２は同様にグループＢのストロボの発光量であり、ストロボマルチ発光モード時はグループＡのストロボのマルチ発光１発当たりの発光量である。１５２は同様にグループＢのストロボの発光量である。１５３はストロボマルチ発光時の発光回数であり、１５４は発光周波数である。
【０２２６】
図２５で示した様に、カメラ本体は基本的に実施例１で示したワイヤレスマスターストロボと同一の動作が可能となっている。ただし、表示部材の都合上、カメラ本体からはグループＡとグループＢの２グループのスレーブストロボのみ制御が出来る様になっている。
【０２２７】
次に、図２６および図２７のタイミングチャートを用いて、カメラのテスト発光スイッチを押した場合のカメラとスレーブストロボの応答を説明する。
【０２２８】
図２６は自動調光、レシオオフ時のテスト発光の状態であり、図２７は自動調光Ａ：Ｂモード時のテスト発光の状態である。
【０２２９】
各図において、Ａ）はカメラのテスト発光スイッチ１４０の状態であり、ＢはカメラのＸｅ管の発光波形であり、Ｃ）はグループＡに設定されたスレーブストロボの発光波形であり、Ｄ）はグループＢに設定されたスレーブストロボの発光波形である。
【０２３０】
まず、図２６を説明する。
【０２３１】
［タイミングｔ０］テスト発光スイッチがオンされる。
【０２３２】
［タイミングｔ１］カメラは内蔵ストロボのＸｅ管１２０をパルス発光させて、図１２のコマンド１４を送信する（１）。
【０２３３】
［タイミングｔ２］レシオオフの自動調光なので、図１２で示したＦ０Ｈを送信する（２）。
【０２３４】
［タイミングｔ３］Ｘｅ管１２０をパルス発光させて、スレーブストロボに発光開始タイミング信号（３）を送信する。
【０２３５】
一方、スレーブストロボはコマンド（１）とデータ（２）を受信して、同一テスト発光である事を解析し、自らの発光グループに関わらず所定の待ち時間をカウントする。
【０２３６】
［タイミングｔ４］所定の待ち時間終了後、各スレーブストロボは同時に所定の発光量のテスト発光を行う。
【０２３７】
次に、図２７を説明する。
【０２３８】
［タイミングｔ０］カメラのテスト発光スイッチ１４０がオンされる。
【０２３９】
［タイミングｔ１］Ｘｅ管１２０をパルス発光させて、図１２のコマンド１４を送信する（１）。
【０２４０】
［タイミングｔ２］Ａ：Ｂの自動調光なので、図１２で示したＦ１Ｈを送信する（２）。
【０２４１】
［タイミングｔ３］Ｘｅ管１２０をパルス発光させて、スレーブストロボに発光開始タイミング信号（３）を送信する。
【０２４２】
一方、スレーブストロボはコマンド（１）とデータ（２）を受信して、自動調光ＡＢである事を解析し、自らの発光グループに応じて所定の待ち時間をカウントし、テスト発光の発生を待つ。
【０２４３】
［タイミングｔ４］グループＡの待ち時間終了後、グループＡに設定されたスレーブストロボが所定の発光量のテスト発光を行う。
【０２４４】
［タイミングｔ５］グループＢの待ち時間終了後、グループＢに設定されたスレーブストロボが所定の発光量のテスト発光を行う。
【０２４５】
ここでもし撮影者がＡ：Ｂの２灯撮影を行おうとしているのに、スレーブストロボのグループ設定をＡ、Ｃと設定した場合は、グループＢに設定したストロボが発光しない事により、設定間違いをしている事を認識できる。また、特にテストスイッチをオンしてから各スレーブストロボが等間隔のディレイをもって発光する事により、間違ったスレーブ設定をしている場合にはスレーブ応答のリズムが崩れるので、容易にどのスレーブストロボの設定を間違えているか認識する事が可能となる。
【０２４６】
なお、実施例３では実施例１と同様に、自動調光モード時はスレーブストロボの応答に時間的なディレイを持たせ、自動調光モード以外の時は各スレーブに時間差を持たせず、設定された発光条件（発光量、発光周波数、発光回数）で発光させるようにすれば、実施例１と同様の効果が得られる。
【０２４７】
また、実施例２と同様にスレーブストロボの応答を発音にしてもよい。すなわち、送信をカメラ内蔵のストロボで行うというのみで、目的効果は実施例１，２と同様のものが得られるのは言うまでもない。
【０２４８】
（発明と実施の形態の対応）
以上の実施形態に於いて、図１２に示すコマンドとデータが本発明のストロボ制御情報に相当する。
【図面の簡単な説明】
【０２４９】
【図１】本発明の第１実施形態におけるストロボ制御カメラシステムの横断面図
【図２】図１のカメラとレンズの電気的構成を示す電気回路ブロック図
【図３】図１のストロボの電気的構成を示す電気回路ブロック図
【図４】本発明の第１実施形態のストロボの外観図
【図５】本発明の第１実施形態における撮影例
【図６】（ａ）、（ｂ）は本発明の第１実施形態における撮影例
【図７】（ａ）、（ｂ）は本発明の第１実施形態における撮影例
【図８】本発明の第１実施形態におけるストロボの表示例
【図９】本発明の第１実施形態におけるストロボの表示例
【図１０】本発明の第１実施形態におけるストロボの表示例
【図１１】本発明の第１実施形態のワイヤレス通信を説明するタイミングチャート
【図１２】本発明の第１実施形態におけるワイヤレス通信コマンドを説明する図
【図１３】本発明の第１実施形態のスレーブストロボの動作説明するフローチャート
【図１４】本発明の第１実施形態のカメラとストロボの動作を説明するフローチャート
【図１５】本発明の第１実施形態のカメラとストロボの動作を説明するタイミングチャート
【図１６】本発明の第１実施形態のカメラとストロボの動作を説明するタイミングチャート
【図１７】本発明の第２実施形態のストロボ制御回路の電気的構成を示す電気回路ブロック図
【図１８】本発明の第２実施形態のカメラとストロボの動作を説明するフローチャート
【図１９】本発明の第２実施形態におけるカメラとストロボの動作を説明するタイミングチャート
【図２０】本発明の第２実施形態のカメラとストロボの動作を説明するタイミングチャート
【図２１】本発明の第３実施形態におけるカメラの横断面図
【図２２】本発明の第３実施形態のカメラとレンズの電気的構成を示す電気回路ブロック図
【図２３】本発明の第３実施形態のカメラ内蔵ストロボの電気的構成を示す電気回路ブロック図
【図２４】本発明の第３実施形態における撮影例
【図２５】本発明の第３実施形態におけるカメラの表示例
【図２６】本発明の第３実施形態におけるカメラとストロボの動作を説明するタイミングチャート
【図２７】本発明の第３実施形態におけるカメラとストロボの動作を説明するタイミングチャート
【符号の説明】
【０２５０】
１９、１２０  キセノン管
１００  カメラマイコン
２３８  ストロボマイコン
２１２  発光制御回路
２５６  フォトダイオード
２４０  液晶表示装置
【図１】
0004478675.tif 000002
【図２】
0004478675.tif 000003
【図３】
0004478675.tif 000004
【図４】
0004478675.tif 000005
【図５】
0004478675.tif 000006
【図６】
0004478675.tif 000007
【図７】
0004478675.tif 000008
【図８】
0004478675.tif 000009
【図９】
0004478675.tif 000010
【図１０】
0004478675.tif 000011
【図１１】
0004478675.tif 000012
【図１２】
0004478675.tif 000013
【図１３】
0004478675.tif 000014
【図１４】
0004478675.tif 000015
【図１５】
0004478675.tif 000016
【図１６】
0004478675.tif 000017
【図１７】
0004478675.tif 000018
【図１８】
0004478675.tif 000019
【図１９】
0004478675.tif 000020
【図２０】
0004478675.tif 000021
【図２１】
0004478675.tif 000022
【図２２】
0004478675.tif 000023
【図２３】
0004478675.tif 000024
【図２４】
0004478675.tif 000025
【図２５】
0004478675.tif 000026
【図２６】
0004478675.tif 000027
【図２７】
0004478675.tif 000028